(57)【要約】【課題】  予め貫通孔を準備するのではなく、手品具の一部をスライドさせて貫通隙間を形成し、貫通手品を簡単に行うことのできる手品具を提供する。【解決手段】  窓部が内側に形成される枠体110と、この窓部を区切るように設置される中央に貫通窓147を有する模様部140と、この窓部にはめ込まれて固定される固定板体と、この窓部へ設置されるスライド板と、前記枠体の内部に収納されてこのスライド板の動きを固定するストッパ部材とを有している。前記模様部140は貫通窓147を備える模様部本体143を有している。固定板体は膨出部を有し、各膨出部はその外縁形状が連続した直線または曲線を形成し、１枚の多角形の板が枠体に挟まれ固定されているように見えるようにされ、そして、ストッパ部材を移動させたときスライド板が摺動して、前記貫通孔147を透孔とする手品具である。【選択図】    図１
2007054510.tif 000002
【特許請求の範囲】
【請求項１】
窓部が内側に形成される枠体と、この窓部を区切るように設置される中央に貫通窓を有する模様部と、この窓部にはめ込まれて固定される固定板体と、この窓部へ設置されるスライド板と、前記枠体の内部に収納されてこのスライド板の動きを固定するストッパ部材とを有し、ストッパ部材を移動させたときスライド板が摺動して、前記貫通孔を透孔とすることを特徴とする手品具。
【請求項２】
模様部は、枠体に接続されるアームの中間に、貫通窓を備える模様部本体を有し、模様部本体の左右のアームは右アームの軸線と左アームの軸線が略平行として配置されていることを特徴とする、請求項１に記載の手品具。
【請求項３】
スライド板の端部が、模様部によって隠れる形状であることを特徴とする、請求項１または２記載の手品具。
【請求項４】
模様部のアームは直線状であって、右アームの軸線と左アームの軸線とが平行であることを特徴とする、請求項１乃至３の何れかに記載の手品具。
【請求項５】
固定板体は枠体の外方へ膨出する膨出部を有し、枠体の外方に膨出した各膨出部は、その外縁形状が連続した直線または曲線を形成し、１枚の多角形の板が枠体に挟まれ固定されているように見えるようにしたことを特徴とする、請求項１乃至４の何れかに記載の手品具。
【請求項６】
枠体は、ストッパ部材の形状と同様の装飾突起を有することを特徴とする、請求項１乃至５の何れかに記載の手品具。
【発明の詳細な説明】
【技術分野】
【０００１】
本発明は、貫通可能な隙間を形成することができる手品具に関するものであり、尚詳しくは、手品具の一部をスライドさせてこの隙間を形成することが出来る手品具に関するものである。
【背景技術】
【０００２】
今日、貫通するはずのない物体に棒状体などを突き刺して通り抜けさせる手品がある。これらの手品としては、棒状体を突き刺す前に隠しておいた貫通孔を貫通位置に移動させてこの貫通孔に棒状体を突き刺すものや、突き刺す直前に貫通孔を穿設したものと取り替えるものがある。
【０００３】
例えば、特許文献１に記載の手品具は、中央に貫通孔が設けられた正方形状の板体であり、この板体の一部が折りたたみ運動できるように、板体の一辺から貫通孔にかけて切断されて、この切断線を端部として線状ヒンジにより回動可能な切り欠きを設けた板体Aと、この板体と同形状の板体Bとの２枚の板体から構成される手品具である。
この手品具を実演するには、まず板体Aの上にハンカチを被せて、その上にこの板体Aと同径上の紙を重ね、そして板体Bを重ねる。そして板体Aの回動可能な切り欠きを下方向に回動させて板体Aをコの字状とする。この状態で板体Bの貫通孔から鉛筆などを貫通挿入させ、その際にハンカチを板体Aのコの字に沿わせて設置することで挿入される鉛筆を避けるようにして、そのまま鉛筆を貫通させて下に落下させる。
【０００４】
そうすると、まるで鉛筆が２枚の板体に挟まれた紙とハンカチとを貫通したように観客に錯覚を起させることができる。しかし実際には、紙には鉛筆を避け得ないため真ん中に穴が空くが、一方でハンカチは鉛筆を避けて設置されたため穴が空くことはないため、観客に対して、なぜハンカチだけが無事なのかがわからない状態に陥らせることが出来る。
【特許文献１】特開平１０−２８７８４
【発明の開示】
【発明が解決しようとする課題】
【０００５】
本発明に係る手品具は、予め貫通孔を準備するのではなく、手品具の一部をスライドさせて貫通隙間を形成し、貫通手品を簡単に行うことのできる手品具を提供する。
【課題を解決するための手段】
【０００６】
この課題を解決するための手段としては、窓部が内側に形成される枠体と、この窓部を区切るように設置される中央に貫通窓を有する模様部と、この窓部にはめ込まれて固定される固定板体と、この窓部へ設置されるスライド板と、前記枠体の内部に収納されてこのスライド板の動きを固定するストッパ部材とを有し、ストッパ部材を移動させたときスライド板が摺動して、前記貫通孔を透孔とする手品具とする。
【０００７】
また、模様部は、枠体に接続されるアームの中間に、貫通窓を備える模様部本体を有し、模様部本体の左右のアームは右アームの軸線と左アームの軸線が略平行として配置されていることとしてもよい。
【０００８】
また、スライド板の端部が、模様部によって隠れる形状であることとしてもよい。
【０００９】
また、模様部のアームは直線状であって、右アームの軸線と左アームの軸線とが平行とすることが好ましい。
【００１０】
また、固定板体は枠体の外方へ膨出する膨出部を有し、枠体の外方に膨出した各膨出部は、その外縁形状が連続した直線または曲線を形成し、１枚の多角形の板が枠体に挟まれ固定されているように見えるようにしたこととしてもよい。
【００１１】
また、枠体は、ストッパ部材の形状と同様の装飾突起を有することとしてもよい。
【発明の効果】
【００１２】
窓部が内側に形成される枠体と、この窓部を区切るように設置される中央に貫通窓を有する模様部と、この窓部にはめ込まれて固定される固定板体と、この窓部へ設置されるスライド板と、前記枠体の内部に収納されてこのスライド板の動きを固定するストッパ部材とを有し、ストッパ部材を移動させたときスライド板が摺動して、前記貫通孔を透孔とする手品具とすることにより、予め貫通孔を準備するのではなく、手品具の一部をスライドさせて貫通隙間を形成し、貫通手品を簡単に行うことができる。
【００１３】
また、模様部は、枠体に接続されるアームの中間に、貫通窓を備える模様部本体を有し、模様部本体の左右のアームは右アームの軸線と左アームの軸線が略平行として配置されることにより、スライド板を摺動してスライドさせてもその端部が模様部のアームの下に隠れたままにすることができる。
したがって、手品の相手にその仕組みがより一層わからないようにすることができる。
【００１４】
また、スライド板の端部が、模様部によって隠れる形状であることとしてもよく、これにより、窓部にはめ込まれている板体が複数枚の板から構成されていることを隠すことが出来、また、スライド板をスライドさせても気付かれないようにすることができるため、より一層巧妙な手品を演じることが出来る。
【００１５】
また、模様部のアームは直線状であって、右アームの軸線と左アームの軸線とが平行であることとしてもよく、これにより、スライド板の端部を模様部の細いアームの下に隠すことが出来、手品の相手に手品の仕組みがわからないようにすることができる。
【００１６】
また、固定板体は枠体の外方へ膨出する膨出部を有し、枠体の外方に膨出した各膨出部は、その外縁形状が連続した直線または曲線を形成し、１枚の多角形の板が枠体に挟まれ固定されているように見えるようにしてもよい。これにより、手品の相手は枠体に挟まれ固定される板が一枚の多角形の板のように見え、まさか実際には分割されているとは思いもせず、その一枚の多角形の板を貫通したように見える手品を行うことができ、相手を驚かせることができる。
【００１７】
また、枠体は、ストッパ部材の形状と同様の装飾突起を有することとしてもよく、これにより、ストッパ部材をカムフラージュすることができ、相手に手品の仕掛けを見破られることを防ぐことが出来る。
【発明を実施するための最良の形態】
【００１８】
本発明に係る手品具の最良の形態は、以下の構成からなる手品具である。
窓部が内側に形成される枠体と、この窓部を区切るように設置される中央に貫通窓を有する模様部と、この窓部にはめ込まれて固定される固定板体と、この窓部へ設置されるスライド板と、前記枠体の内部に収納されてこのスライド板の動きを固定するストッパ部材とを有している。前記模様部は枠体に接続される直線状のアームの中間に、貫通窓を備える模様部本体を有し、模様部本体の左右のアームは右アームの軸線と左アームの軸線が平行に配置されている。固定板体は枠体の外方へ膨出する膨出部を有し、枠体の外方に膨出した各膨出部は、その外縁形状が連続した直線または曲線を形成し、１枚の多角形の板が枠体に挟まれ固定されているように見えるようにして、また、前記スライド板の端部は模様部によって隠れる形状である。枠体は、ストッパ部材の形状と同様の装飾突起を有している。そして、ストッパ部材を移動させたときスライド板が摺動して、前記貫通孔を透孔とする手品具である。
【実施例１】
【００１９】
以下、本発明に係る手品具の実施例の構造を図１乃至５を用いて説明する。
【００２０】
本発明に係る手品具は、図１に示すように、窓部が内側に形成される三角形状の枠体110と、この窓部を区切るように設置される模様部140と、この枠体110に挟み込まれるように設置されて外部からは６角形に見える板部150とから構成され、図２に示すように、この板部150は上部固定板153・スライド板157・下部固定板161の３つの板からなり、このスライド板157はストッパ部材170によりスライド方向の移動が固定される。
【００２１】
模様部は、枠体110に接続される直線状のアーム145の中間に、貫通窓147を備える模様部本体143を有し、模様部本体の左右のアーム145は右アームの軸線と左アームの軸線が平行として配置され、模様部本体143を窓部の略中心に固定するものである。
【００２２】
枠体110は、図３に示すように、枠体上面部材130と枠体底面部材120とを組合せるものであり、枠体110の内部に空間部を形成するものである。
【００２３】
枠体底面部材120の内面には、その一角に四角状のストッパ窓125が設けられ、この一角と隣接する辺には嵌合突起129が２つ突設され、この辺には窓枠から少し内側の位置に窓枠に沿うように直線状のガイド突起123が突設されて、また前記ストッパ窓125の近傍においてストッパ部材170がスライドする動きを導くことができるようにガイド突起124が突設される。また、他の２辺にはその中心に嵌合突起129が１つずつ突設される。そして、この枠体110の縁に枠体110の内部に空間部を形成するための縁突起127が設けられており、この縁突起127は各辺の中心付近には設けられず、角の付近にのみ設けられている。このように縁突起127を設けることで、枠体底面部材120と枠体上面部材130を合わせたとき、各辺の中心付近に枠体110により挟まれる板体が外方に突出可能な隙間を各辺の中心付近に形成することができる。
【００２４】
枠体上面部材130の内面には、図４に示すように、前記枠体底面部材と枠体上面部材130とを合わせたときに枠体底面部材の嵌合突起と対応して嵌合する位置に嵌合孔133が形成され、また、枠体底面部材のガイド突起と対応する位置に、ガイド突起134、135が突設される。そして、前記枠体底面部材の縁突起と対応する位置に、縁突起137が設けられる。
【００２５】
前記枠体110に挟まれる板部150は、図３に示したように、上部固定板153・スライド板157・下部固定板161の３つの板からなることは前述の通りである。
この３つの板からなる板部150は、６角形の隣り合わない３辺が枠体110から膨出する膨出部を有しており、これにより前記三角形状の枠体110で挟んだ時に、６角形状に見える板部150とすることができる。
【００２６】
上部固定板153は、２つの膨出部を有し、その下方端部が模様部140によって隠れるように模様部140に合わせた形状に形成される。また膨出部は、その外縁形状が連続した直線または曲線を形成し、１枚の多角形の板が枠体に挟まれ固定されているように見えるようにされる。そして枠体底面部材120の内面に有する嵌合突起129と対応する位置に２つの固定孔155を有している。
【００２７】
下部固定板161は、下方に１つの膨出部を有して、その上方端部は、前記ストッパ窓125の近傍において突設されるガイド突起124に接して固定されるように直線状に形成される。この膨出部は、その外縁形状が連続した直線または曲線を形成し、１枚の多角形の板が枠体に挟まれ固定されているように見えるようにされる。また枠体底面部材120の内面に有する嵌合突起129と対応する位置に２つの固定孔155を有している。
【００２８】
スライド板157は、下方端部が前記ストッパ窓125の近傍において突設されるガイド突起123、135に接して摺動可能とするように直線状に形成され、また上方端部は模様部140によって隠れるように模様部140に合わせた形状に形成される。なお、模様部140にあわせた上方端部は、模様部本体143の位置で段差が形成され、模様部本体の左右に伸びる直線状のアーム145によって隠れる部分は下方端部と平行な直線としているものである。
スライド板157の上方端部をこのように形成することで、図２に示したように、このスライド板157を上部固定板153の下方端部に当止するように設置すると、その端部と端部がぴたりと合うものとすることができ、これにより、模様部の貫通窓をスライド板157で塞ぐことができる。
また、スライド板157を摺動して枠体の内側に形成される縁突起に当止させると、図５に示すように、模様部140の貫通窓147を透孔とすることができる。
【００２９】
ストッパ部材170は、図３に示したように、菱形形状のストッパボタン177と、同じく菱形形状の板体であるストッパ部173とから構成されるものである。
ストッパボタン177は一方の面に嵌合突起179を有しており、また、ストッパ部173は一方の面に嵌合溝175を有している。
ストッパボタン177を枠体底面部材120のストッパ窓125の外側位置に設置し、また、ストッパ部材170を枠体底面部材120のストッパ窓125の内側位置に設置する。そして、前記嵌合突起179と嵌合溝175とを嵌合させて、枠体底面部材120の外側のストッパ窓125と内側のストッパ部材170とを連結して固定する。
【００３０】
ストッパ部173は菱形形状で、枠体底面部材120のガイド突起123と縁突起127、137とに囲まれるスライド領域におさまる形状であり、ストッパボタン177を枠体110の辺に沿って移動させることで、これと連結されているストッパ部173をスライド領域を摺動させて移動させることが出来る。
これにより、図２に示すように、スライド板157が貫通窓147を塞いでいる状態に固定することが出来る。
【００３１】
そして、枠体底面部材120と枠体上面部材130とを合わせ、板部150とストッパ部173とを挟みこみながら、嵌合突起129を上部固定板153や下部固定板161の固定孔155に通した状態で嵌合孔133に嵌合させることで、６角形の板部150を挟みこんだように見える手品具を構成することが出来る。
【００３２】
この枠体110の表面と裏面とに、菱形形状のストッパボタン177と同一形状の紋様突起をすべての角に形成し、また、この紋様突起と紋様突起との間に板状の紋様突起を形成する。
このように、ストッパボタン177をカムフラージュするための紋様突起を形成することで、相手にその紋様突起の一部がストッパボタン177であると気付かないようにすることが出来る。
【００３３】
この実施の形態における本発明の手品具は、以上の構成とされる。そして、以下にこの手品具の操作について、図６から図１３を参照して説明する。
【００３４】
まず、この手品具本体100の他に、２５ミリ角くらいの大きさの薄い紙を用意する。
この手品具のストッパ部材170をロック状態としておいて、スライド板157がスライドしない状態とする。そして、この状態のままで手品具本体100を相手に渡して、「六角形の透明板が三角形のフレームに挟まっています。この透明板は堅いプラスチックの板です。よく調べてください。」と言うことで、この手品具に挟まっている板部150が、見た目どおりの６角形の板であると相手に思わせることができる。このときストッパ部材170をロック状態としており、相手が窓部をいじったりしても動かないため、この挟まっている板部150が３つに分割されているとは相手は思わない。
【００３５】
手品具を調べ終わった相手から手品具を返してもらい、図６に示すように、ストッパボタンを有する面を下に向けて、またストッパボタンを操作者の左手の位置にくるようにして手品具を把持する。
このように把持することで、以後のストッパボタンの操作が相手に見えないようにでき、且つ、簡単に操作を行うことができる。
【００３６】
そして、図７に示すように、用意した紙を模様部140と板部150との間に差し込んで挟み、図８に示すように、紙を挟み込んだ状態の手品具本体を相手に見せる。そして相手に鉛筆を、図９に示すように、尖った先が上に向くように持ってもらう。そして、図１０に示すように、手品具本体を垂直に近い状態に立てて相手に手品具本体を良く見てもらう。
【００３７】
そして、手品具本体を地面と平行として持ち、図１０に示すように、操作者の左手の人差し指か中指で、手品具の裏面のストッパボタンをスライドさせてロックを解除するために、手品具の下面のスライド板を左方向にスライドさせる。
そうすると、貫通窓は透孔となり手品具の中央に穴が空いている状態となるが、板部と模様部との間に紙が挟まっているため、穴が空いていることは相手にはわからない。
【００３８】
手品具の貫通窓を鉛筆の先端の位置にあわせて、図１１に示すように、鉛筆の先端が貫通窓の紙を破るまで手品具を下方に押し下げる。
これにより相手には、紙と一緒に、枠体に挟まっている板部にも穴が開いたように思わせることができる。
【００３９】
そして、図１２に示すように、手品具本体を上昇させて手品具を鉛筆から外し、外すと同時に、素早く且つ静かにスライド板をスライドさせて貫通窓を塞ぎ、手品具を立てて相手に貫通窓が良く見えるようにする。
そうすると、板部にも穴が開いているだろうと思っている相手に、スライド板で塞がれている貫通窓が見えることとなり、自分の予想と異なる結果が見せつけられることで、相手をとても不思議な気持ちにさせることができる。
【００４０】
そして、手品具に挟まっている紙を取り去りながら、ストッパボタンを先程と逆にスライドさせてストッパ部材をロック状態としてスライド板を固定し、手品具本体を相手に渡して調べてもらう。
そうすると相手は、３角形の枠体に挟まった６角形の板部に穴が開いていない理由を探そうとするが、スライド板は固定されているため、その仕組みに気付かせないようにすることができる。
【００４１】
このように、この実施の形態における本発明の手品具によれば、手品具の一部をスライドさせて貫通可能な隙間窓を形成して、この窓を塞いだ紙だけを破る手品を簡単に行うことができる。
【実施例２】
【００４２】
本発明に係る手品具は、図１３に示すように、実施例１に記載の手品具から膨出部をなくしてもよく、この手品具は、図１４に示すように、その上部固定板153から膨出部をなくして、また、下部固定板をなくしたものである。
これにより、枠体に挟まれた板体は枠体の外方に膨出することはなく、一枚の板体が枠体内部にはめ込まれているように見える。
そして、手品具の一部をスライドさせて貫通可能な隙間窓を形成して、この窓を塞いだ紙だけを破る手品を簡単に行うことができる。
【実施例３】
【００４３】
本発明に係る手品具の枠体の形状は、図１５に示すように、四角形状とされる。このとき固定板体は枠体の外方へ膨出する膨出部を有し、図１６に示すように、枠体の外方に膨出した各膨出部は、その外縁形状が連続した直線または曲線を形成し、１枚の四角形の板が枠体に挟まれ固定されているように見えるようにされる。
【実施例４】
【００４４】
本発明に係る手品具は、図１７に示すように、実施例３に記載の手品具から膨出部をなくしたものである。
【実施例５】
【００４５】
本発明に係る手品具の模様部は、図１８に示すように、枠体110に接続される歪んだ曲線状のアーム145の中間に、貫通窓147を備える模様部本体143を有し、模様部本体の左右のアーム145により模様部本体143を窓部の略中心に固定するものである。
この枠体110の内部に挟まれる板部150は、実施例１と同様の形状である。そして、模様部140の形状は、板部150の上部固定板153とスライド板157との境目がこの模様部140のアーム145と模様部本体143に隠れるような形状である。
【００４６】
これにより、相手が「板体の一部をスライドさせて貫通孔を透孔とするのではないか」と疑問を持ったとしても、模様部140が非直線状であるため、スライド板の端部をこの模様部140によって隠すことは困難と考えさせることにより、先程の疑問を払拭させることができる。したがって、より一層仕組みのわかりにくい手品具を提供することが出来る。
【００４７】
また、本発明は、以上の実施例の形態に限定されるものでなく、発明の要旨を逸脱しない範囲で自由に変更、改良が可能である。
【図面の簡単な説明】
【００４８】
【図１】本発明に係る手品具の外観を示す図。
【図２】本発明に係る手品具の内部構造を示す平面図。
【図３】本発明に係る手品具の内部構造を示す分解斜視図。
【図４】本発明に係る手品具の内部構造を示す分解斜視図。
【図５】本発明に係る手品具の内部構造を示す平面図。
【図６】本発明に係る手品具の使用方法を示す図。
【図７】本発明に係る手品具の使用方法を示す図。
【図８】本発明に係る手品具の使用方法を示す図。
【図９】本発明に係る手品具の使用方法を示す図。
【図１０】本発明に係る手品具の使用方法を示す図。
【図１１】本発明に係る手品具の使用方法を示す図。
【図１２】本発明に係る手品具の使用方法を示す図。
【図１３】本発明に係る手品具の外観を示す図。
【図１４】本発明に係る手品具の内部構造を示す平面図。
【図１５】本発明に係る手品具の外観を示す図。
【図１６】本発明に係る手品具の内部構造を示す平面図。
【図１７】本発明に係る手品具の外観を示す図。
【図１８】本発明に係る手品具の外観を示す図。
【図１９】本発明に係る手品具の内部構造を示す平面図。
【図２０】本発明に係る手品具の内部構造を示す平面図。
【符号の説明】
【００４９】
100    手品具本体
110    枠体
120    枠体底面部材
123    ガイド突起
125    ストッパ窓
127    縁突起
129    嵌合突起
130    枠体上面部材
133    嵌合孔
135    ガイド突起
137    縁突起
140    模様部
143    模様部本体
145    アーム
147    貫通窓
150    板部
153    上部固定板
155    固定孔
157    スライド板
161    下部固定板
163    固定孔
170    ストッパ部材
173    ストッパ部
175    嵌合溝
177    ストッパボタン
179    嵌合突起
【図１】
2007054510.tif 000003
【図２】
2007054510.tif 000004
【図３】
2007054510.tif 000005
【図４】
2007054510.tif 000006
【図５】
2007054510.tif 000007
【図６】
2007054510.tif 000008
【図７】
2007054510.tif 000009
【図８】
2007054510.tif 000010
【図９】
2007054510.tif 000011
【図１０】
2007054510.tif 000012
【図１１】
2007054510.tif 000013
【図１２】
2007054510.tif 000014
【図１３】
2007054510.tif 000015
【図１４】
2007054510.tif 000016
【図１５】
2007054510.tif 000017
【図１６】
2007054510.tif 000018
【図１７】
2007054510.tif 000019
【図１８】
2007054510.tif 000020
【図１９】
2007054510.tif 000021
【図２０】
2007054510.tif 000022